(57)【要約】      （修正有）【課題】燃料電池にアクセスする電子回路インターフェースボードを提供することにより燃料電池の管理に対し更に容易に実施できる手段を提供する。【解決手段】燃料電池にアクセスする電子回路インターフェースボードには、基板、電子回路、第一インターフェース、及び、第二インターフェースを含む。電子回路は基板に設置されている。第一インターフェースは、基板に設置され、且つ、燃料電池に対して電気的に接続することに用いられ、その第一インターフェースは電子回路にも電気的に接続する。第二インターフェースは基板に設置され、且つ電子装置に対して電気的に接続することに用いられ、その第二インターフェースは電子回路にも電気的に接続することで、電子回路インターフェースボードを介して燃料電池に対して管理を容易に実施することを特徴とする。【選択図】図１
0003119496.tif 000002
【実用新案登録請求の範囲】
【請求項１】
燃料電池にアクセスする電子回路インターフェースボードにおいて、
基板と、
該基板に設置されている電子回路と、
該基板に設置され、且つ燃料電池に対して電気的に接続することに用いられ、該電子回路にも電気的に接続する第一インターフェースと、
該基板に設置され、且つ電子装置に対して電気的に接続することに用いられ、該電子回路にも電気的に接続する第二インターフェースを含むことを特徴等とする、燃料電池にアクセスする電子回路インターフェースボード。
【請求項２】
請求項１記載の電子回路インターフェースボードにおいて、その基板は、プリント回路板であることを特徴とする、電子回路インターフェースボード。
【請求項３】
請求項１記載の電子回路インターフェースボードにおいて、その電子回路は、少なくとも1個以上の電子部品を含むことを特徴とする、電子回路インターフェースボード。
【請求項４】
請求項１記載の電子回路インターフェースボードにおいて、その第一インターフェースは、ケーブル線で、該ケーブル線の両端がそれぞれ該基板、及び、該燃料電池に溶接していることを特徴とする、電子回路インターフェースボード。
【請求項５】
請求項１記載の電子回路インターフェースボードにおいて、その第一インターフェースは、挿抜方法で該燃料電池に挿入して相互に連結するコネクタとすることができることを特徴とする、電子回路インターフェースボード。
【請求項６】
請求項１記載の電子回路インターフェースボードにおいて、その第一インターフェースは、1本のコネクタを具えたケーブル線を含むことを特徴とする、電子回路インターフェースボード。
【請求項７】
請求項1記載の電子回路インターフェースボードにおいて、その電子装置は、コンピュータ、該燃料電池をテストするテスト治具、プロセッサ(processor)を具えた電子装置のいずれかであることを特徴とする、電子回路インターフェースボード。
【考案の詳細な説明】
【技術分野】
【０００１】
本考案は、電子回路インターフェースボードに関り、特に燃料電池にアクセスする電子回路インターフェースボードに関する。
【背景技術】
【０００２】
従来の燃料電池は、膜電極接合体の改良及び膜電極接合体と直接関連構成部材の改良に力を傾注するのみであり、その目的は膜電極接合体の発電便益上における改善を主旨としているが、従来の技術は、燃料電池の発電品質を向上するため、如何にしてその発電効率を管理、或いは燃料電池が如何にしてエネルギー管理能力を具備した給電電源となることについて欠如している。
【０００３】
本考案の考案者は、従来の燃料電池に管理欠如の欠陥を鑑み、改良に努めることで、燃料電池にアクセスする電子回路インターフェースボードを創作したことで、燃料電池に対して管理を容易に実施することができる。
【考案の開示】
【考案が解決しようとする課題】
【０００４】
本考案の主要な目的は、燃料電池にアクセスする電子回路インターフェースボードを提供することにあり、燃料電池の管理に対し、更に容易に実施できる手段を提供することにある。
【課題を解決するための手段】
【０００５】
上記の目的を達成するため、本考案は、提供した燃料電池にアクセスする電子回路インターフェースボードには、基板と、基板に設置されている電子回路と、基板に設置され、且つ燃料電池に対して電気的に接続することに用いられ、電子回路にも電気的に接続する第一インターフェースと、基板に設置され、且つ電子装置に対して電気的に接続することに用いられ、電子回路にも電気的に接続する第二インターフェースを含む。
【０００６】
該項目を熟知する技術者に本考案の目的、特徴、及び、効果を理解してもらうため、下記の具体的な実施例を介すると共に付属の図式を組み合わせ、本考案に対する詳細な説明を以下のとおり行うものである。
【考案の効果】
【０００７】
本考案の電子回路インターフェースボードの長所及び効果に明らかに増進の道をたどっており、それは以下の通りである：本考案の電子回路インターフェースボードが燃料電池と電子装置の間にアクセスし、燃料電池が更に外部とコミュニケーション能力を増加させることで、燃料電池の全体的価値を向上させることができる；本考案の電子回路インターフェースボードは、各種の燃料電池に応用することができ、極めて弾性をもった設計効果を具えている。
【実施例】
【０００８】
図１は、本考案である燃料電池にアクセスする電子回路インターフェースボードの構造図及び図２が本考案である燃料電池と電子装置の間を接続した使用状態の見取図である。本考案の燃料電池にアクセスする電子回路インターフェースボード1には、基板11、電子回路13、第一インターフェース15及び第二インターフェース17を含み、それぞれ以下に説明する。基板11は、プリント回路板を用いることができ、その製造方法はプリント回路板の製造工程を用いることができ、銅箔全面上にエッチングで電子回路13のレイアウト(layout)を形成し、次に、電子部品の溶接製造工程を施すことで、本考案の電子回路インターフェースボード1を製造できる。電子回路13の具体的な態様は、例えば燃料電池3の発電効率を管理することに用いるエネルギー管理回路であり、電子回路13の具体的な態様は、例えば燃料電池3から発生する電力を定格出力電圧に変換することに用いる定電圧回路であり、電子回路13の具体的な態様も例えば燃料電池3に対してテストを行い、燃料電池3の良し悪し或いはその給電品質の良し悪しの判断に用いるテスト回路であり、電子回路13の具体的な態様では更に燃料電池の通信チャンネルとして用いる信号伝送回路である。
【０００９】
第一インターフェース15は、主に電子回路13と燃料電池3を電気的に接続することに用い、また第一インターフェース15の実施手段として1本のケーブル線で、このケーブル線の両端をそれぞれ電子回路13及び燃料電池3に溶接される。或いは、第一インターフェース15の実施手段として挿抜式コネクタを利用して、直接燃料電池3上に挿入することで、電子回路インターフェースボード1と燃料電池3が相互に連結する目的を達成することができる。或いは、第一インターフェース15の実施手段として1本のコネクタを具えたケーブル線を含み、該ケーブル線の末端に位置するコネクタで燃料電池3に連結し、また該ケーブル線の別の一端を基板11に溶接する方法を用いることができる。
【００１０】
第二インターフェース17は、主に電子回路13と電子装置5を電気的に接続することに用い、また第二インターフェース17の機能は例えば燃料電池3の電力の伝送、或いは電子回路13の処理を経た電力の伝送に用い、第二インターフェース17を介して電力をコンピュータ或いはその他の電子設備に供給する。また、第二インターフェース17の機能は、電子回路13が燃料電池3に関する信号を集めて伝送して、電子回路13に第二インターフェース17を経て例えば燃料電池をテストするテスト治具5に対して信号伝送を行わせる。或いは、第二インターフェース17の機能は、電子回路13と電子装置5の両者間の通信チャンネルとなり、さらに、また第一インターフェース13のチャンネルを介して、電子装置5が直ちに燃料電池3の状態を掌握させることができる。第二インターフェース17の具体的な部品は、例えばコネクタ、金端子、ケーブル線などを用いることができる。
【００１１】
本考案の電子回路インターフェースボード1は、各種の燃料電池に応用することができ、例えばメタノール型燃料電池、或いは液体燃料型燃料電池、ガス型燃料電池、固体型燃料電池などに応用できる。
【００１２】
本考案は、具体的な実施例で上記のとおりに開示したが、開示した具体的な実施例が本考案として限定的に用いることではなく、該項目を熟知する技術者は本考案の精神と範囲に基づき各種の改変と修飾を行なうことができ、行なった改変或いは修飾も全て本考案の保護範疇にあり、本考案の保護範囲は、実用新案登録請求の範囲に定義するものを基準とする。
【図面の簡単な説明】
【００１３】
【図１】本考案である燃料電池にアクセスする電子回路インターフェースボードの構造図である。
【図２】本考案である燃料電池と電子装置の間に接続する使用状態の見取図である。
【符号の説明】
【００１４】
1      電子回路インターフェースボード
3      燃料電池
5      電子装置
11     基板
13     電子回路
15     第一インターフェース
17     第二インターフェース
【図１】
0003119496.tif 000003
【図２】
0003119496.tif 000004